(57)【特許請求の範囲】
【請求項１】
底部に開孔を備えた玉皿部と、この玉皿部に投入された玉の数を計数して出力する計数手段と、この計数手段の下流側に返却口に連通する全数返却通路と返却玉をストックする玉ストック部とに振り分ける分配手段と、前記ストック部に所定の個数だけストックされると収納しきれなくなった玉を玉回収通路に進入させる二股通路部材とを備え、前記玉皿部が前記玉ストック部を収納したケース部に着脱自在に組み付けられると共に、前記玉ストック部が分割可能な構造に形成されたことを特徴とする玉計数装置。
【請求項２】
分割形成された玉ストック部の各部が、回転軸を介して係合していることを特徴とする請求項１に記載の玉計数装置。
【請求項３】
玉ストック部が螺旋状に形成されたことを特徴とする請求項２に記載の玉計数装置。
【発明の詳細な説明】
【０００１】
【発明の属する技術分野】
本発明は、パチンコ店などにおいて、出玉を煙草やジュースに交換する際に、玉数を計数する装置に関するものである。
【０００２】
【従来の技術】
従来、この種の玉計数装置は、計数機能部を備えたケース部の上部にパチンコ玉が容易に投入できるように、上方が大きく開口した玉皿を装着した構成となっている。
【０００３】
そして、ケース部の内部には、煙草と交換しようとしてパチンコ玉を計数したが、途中で気が変わり、交換を中止することもあるので、このようなときに対応できるように所定の個数、例えば１００個程度のパチンコ玉を常時ストックし、必要に応じて払い出すことのできる玉ストック部を備えている。
【０００４】
【発明が解決しようとする課題】
通常、パチンコ店などは繁華街に多く出店されている。また、近年は駐車場が確保し易い郊外の大きな道路に面した場所への出店が目立って増加しているが、何れにしてもパチンコ店は埃っぽい場所に立地していることが多いため、一般的なパチンコ店でも埃が３ｍｍ／週も積もると云われており、玉皿に設けた開孔を通って内部の玉ストック部まで埃が侵入し、定期的に整備しないとパチンコ玉の計数、返却動作ができなくなると云った問題点があった。
【０００５】
しかし、従来の玉計数装置は、悪戯されるのを防止するため玉皿部はケース部にねじ止めされていた。また、玉ストック部が分解できる構造になっていなかったため、整備作業が面倒であると云った問題点があり、簡単に分解して整備できる構造にする必要があった。
【０００６】
【課題を解決するための手段】
上記従来技術の課題を解決すべく本発明は、底部に開孔を備えた玉皿部と、この玉皿部に投入された玉の数を計数して出力する計数手段と、この計数手段の下流側に返却口に連通する全数返却通路と返却玉をストックする玉ストック部とに振り分ける分配手段と、前記ストック部に所定の個数だけストックされると収納しきれなくなった玉を玉回収通路に進入させる二股通路部材とを備え、前記玉皿部が前記玉ストック部を収納したケース部に着脱自在に組み付けられると共に、前記玉ストック部が分割可能な構造に形成されたものである。
【００１０】
請求項２において、分割形成された玉ストック部の各部が、回転軸を介して係合しているものである。
【００１１】
請求項３において、玉ストック部が螺旋状に形成されたものである。
【００１２】
【発明の実施の形態】
以下、図面に基づいて本発明の一実施形態を説明する。
本発明の玉計数装置１００は、玉皿１をケース部３の開口した上部に挿入し、ケース部３の側面にねじ止めした板ばね部材５の先端凸部７と、ケース部３の側面部に設ける凹部９とを係合して固定する。
【００１３】
したがって、板ばね部材５の凸部７側を図面左方向に指などで動かすだけで、ケース部３に対する玉皿１の着脱が行えるようになるし、凸部７と凹部９とが係合していると、玉皿１を上方に抜き取ることはできない。
【００１４】
玉皿１の底部には、パチンコ玉９９が１個づつ通過し得る大きさの開孔１１を開設する。また、この開孔１１は、玉皿１に投入されたパチンコ玉９９が全て自重によって排出されるように傾斜した底板の下部に設ける。
【００１５】
そして、開孔１１の下流側に、この部分を通過するパチンコ玉９９を計数する計数器１３を設置する。また、この計数器１３と電気的に接続して、計数結果を表示する液晶表示装置などからなる図示しない表示器を設ける。
【００１６】
また、計数器１３の下流側に、パチンコ玉９９をＡ・Ｂ二方向に振り分ける機能を備えた分配手段１５を設置する。この分配手段１５は、例えば図示しないスプリングとソレノイドなどを備えて形成し、非通電時には可動部１７が部位Ｐ３に位置して通路Ａを開放し、通電時には可動部１７が部位Ｐ２に移動して通路Ａを封止し、通路Ｂを開放するように構成する。
【００１７】
したがって、玉皿１に投入され、開孔１１を通って部位Ｐ１に落下し、傾斜案内底板上を転走するパチンコ玉９９は、通電がないときには通路Ａに進み、通電があるときには通路Ｂに進む。
【００１８】
また、通路Ａの下流側には、返却口１９に連通する全量返却通路２１を連通して配設し、通路Ｂの下流側には、二股通路部材２５を介して、返却玉をストックする玉ストック部２７を連通して配設する。玉ストック部２７の下部も、返却口１９に連通させる。
【００１９】
玉ストック部２７は、複数、例えば５個の往復溝部材２９を分解可能に重ねて形成する。各往復溝部材２９は、図６に示したように、中間点で反転する傾斜案内底板３１上に一列にパチンコ玉９９が収納でき、最低部位の側壁には開口３３を設けて、さらに下方に設置する往復溝部材２９に進入するように形成する。
【００２０】
また、傾斜案内底板３１の反転側には上下方向に貫通した軸穴３５を設け、この軸穴３５に支持軸３７を挿入して、往復溝部材２９を回動可能に重ねて係合する。したがって、玉ストック部２７は、往復溝部材２９を１個づつ回動することによって、パチンコ玉９９をストックする部分が上方に開放されるので、内部の清掃が簡単に行える。
【００２１】
また、二股通路部材２５にも上下方向に貫通した軸穴３９を設け、この軸穴３９に支持軸３７を挿入して、往復溝部材２９の上に配置し、支持軸３７をケース部３の軸止穴４１に嵌合して、往復溝部材２９と共にケース部３の内部に、着脱が容易に組み付ける。
【００２２】
なお、二股通路部材２５と往復溝部材２９は、一端を前記した支持軸３７によって軸止すると共に、軸穴の反対側の外周部に棒状の突起４３を設け、この突起４３を、外側に回動可能に軸着し、板ばね部材４５によって内側に押圧支持するケース部３の側壁部４７の嵌合穴４９に嵌合して、ケース部３に着脱が容易に組み付ける。
【００２３】
また、二股通路部材２５と往復溝部材２９は、軸穴３５・３９側の側壁部をＵ字状に延設し、ケース部３の側壁との間に、回収したパチンコ玉９９を保管する回収保管部に下端が連通する玉回収通路５１を形成する。
【００２４】
また、二股通路部材２５は、側壁部に切り欠き５３を設けて、下側に設置する玉ストック部２７に所定の個数、例えば１０３個のパチンコ玉９９がストックされると、玉ストック部２７に収納されきらずに溢れたパチンコ玉９９がこの切り欠き５３を介して玉回収通路５１に進入するように構成する。
【００２５】
また、二股通路部材２５と往復溝部材２９とは、正面側壁部にＬ字状の係止突起５５を備えて形成し、この係止突起５５に、全量返却通路２１を形成する全量返却通路形成部材２３の係止孔５７を係合して、全量返却通路形成部材２３を着脱自在に組み付ける。
【００２６】
また、最下段の往復溝部材２９の開口３３には、図示しない計数手段と開閉手段を設けて、玉ストック部２７にストックしているパチンコ玉９９を計数しながら排出可能に形成する。
【００２７】
なお、本発明の玉計数装置１００は、例えば図示しない個数調節スイッチ・商品選択スイッチ・キャンセルスイッチ・レシート発行機などを備えた、各種自動販売機のような形態をした外装ケース体２００に、玉皿１を露出した状態に組み付けて使用する。
【００２８】
したがって、通常の使用状態では、玉皿１は板ばね部材５の凸部７とケース部３の凹部９とが係合していて、玉皿１をケース部３から抜き取ることができないため、悪戯されることがないし、玉計数装置１００の整備が必要になったときには、外装ケース体２００を鍵などで開け、凸部７と凹部９との係合を内側から外せば簡単に抜き取れるようになり、玉ストック部２７も、側壁部４７を回動して突起４３と嵌合穴４９との係合を外し、支持軸３７を軸止穴４１から外せばケース部３から取り出せるし、全量返却通路形成部材２３を外せば、往復溝部材２９が支持軸２９を中心にして回動できるので、内部の掃除が簡単にできる。
【００２９】
なお、上記構成のようにして使用される玉計数装置１００においては、例えば煙草と等価交換しようとして玉皿１に適当な数だけ目分量でパチンコ玉９９を投入すると、投入されたパチンコ玉９９の個数が計数器１３によって計数され、外装ケース体２００の表示部に表示されると共に、パチンコ玉９９は通路Ｂの方向に進み、玉ストック部２７を満杯にした後は、切り欠き５３から玉回収通路５１を通って外装ケース体２００の回収保管部に回収される。
【００３０】
そして、玉皿１に投入したパチンコ玉９９の個数を表示部で確認し、例えば所望の煙草との等価交換に必要な個数よりパチンコ玉９９を４個多く投入したときには、個数調整スイッチを４回操作して、玉ストック部２７にストックしているパチンコ玉９９を１個づつ合計４個を返却口１９に払い出して返却し、等価交換に必要な個数だけを投入した状態で商品選択スイッチなどを操作すると、玉計数装置１００に投入したパチンコ玉９９の個数を証明するレシートが発行されるように構成し、このレシートをカウンターなどにいる店員に渡して所望の煙草と交換するなどして利用する。
【００３１】
なお、パチンコ玉９９を玉皿１に投入したのち、等価交換を中止する必要が生じたときには、キャンセルスイッチを操作することによって、玉計数装置１００に投入したパチンコ玉９９の個数（個数調整スイッチによって返却した個数を除く）が、玉ストック部２７から返却口１９に払い出されるように構成する。
【００３２】
また、電源が投入されていなときには、分配手段１５の可動部１７が部位Ｐ３の位置にあって全量返却通路２１に至る通路Ａを開放しているので、計数器１３で計数することができない停電時や故障時にパチンコ玉９９が玉皿１に投入されても、全量が返却口１９に返却されるので、利用者が被害を被ることがない。
【００３３】
ところで、本発明は上記した実施の形態に限定されるものではないので、特許請求の範囲に記載の趣旨から逸脱しない範囲で各種の変形実施が可能である。
【００３４】
例えば、図７に示したように、玉皿１にピン５９を設けると共に、Ｌ字状の係止片６１が回動してピン５９に係脱できるようにケース部３に軸止し、玉皿１をピン５９と係止片６１とで固定するように構成することもできる。
【００３５】
【発明の効果】
以上説明したように本発明によれば、底部に開孔を備えた玉皿部と、この玉皿部に投入された玉の数を計数して出力する計数手段と、この計数手段の下流側に返却口に連通する全数返却通路と返却玉をストックする玉ストック部とに振り分ける分配手段と、前記ストック部に所定の個数だけストックされると収納しきれなくなった玉を玉回収通路に進入させる二股通路部材とを備え、前記玉皿部が前記玉ストック部を収納したケース部に着脱自在に組み付けられると共に、前記玉ストック部が分割可能な構造に形成されたもので、端数の玉を確実に返却できると共に、分解することによって内部の清掃が簡単に行うことができる。
【００３６】
また、分割形成された玉ストック部の各部を回転軸を介して係合するように構成した玉計数装置においては、各部を回動することによってパチンコ玉のストック部が開口するので、清掃が容易にできる上、再セットも容易にできる。
【００３７】
また、玉ストック部を螺旋状に形成するように構成した玉計数装置においては、狭いスペースに多量のパチンコ玉をストックすることができる。
【図面の簡単な説明】
【図１】一実施形態の分解斜視説明図である。
【図２】一実施形態の要部を上方から見た説明図である。
【図３】一実施形態の要部を正面から見た説明図である。
【図４】一実施形態の要部を側面から見た説明図である。
【図５】一実施形態の要部を拡大して見た説明図である。
【図６】一実施形態の要部を拡大して見た説明図である。
【図７】他の実施形態の説明図である。
【符号の説明】
１  玉皿
３  ケース部
５  板ばね部材
７  凸部
９  凹部
１１  開孔
１３  計数器
１５  分配手段
１７  可動部
１９  返却口
２１  全量返却通路
２３  全量返却通路形成部材
２５  二股通路部材
２７  玉ストック部
２９  往復溝部材
３１  傾斜案内底板
３３  開口
３５  軸穴
３７  支持軸
３９  軸穴
４１  軸止穴
４３  突起
４５  板ばね部材
４７  側壁部
４９  嵌合穴
５１  玉回収通路
５３  切り欠き
５５  係止突起
５７  係止穴
５９  ピン
６１  係止片
９９  パチンコ玉
１００  玉計数装置
２００  外装ケース体
Ａ・Ｂ  通路
【図１】
0003795943.tif 000002
【図２】
0003795943.tif 000003
【図３】
0003795943.tif 000004
【図４】
0003795943.tif 000005
【図５】
0003795943.tif 000006
【図６】
0003795943.tif 000007
【図７】
0003795943.tif 000008